(57)【要約】【課題】支柱と棚板との組付き姿勢が安定し、かつ、品物を横および上から容易に視覚することができ、また、ペットの止まり台としても使用することのできる支柱棚を提供する。【解決手段】一本の支柱１と、一枚または複数枚の棚板２から構成される支柱棚であって、支柱１に、水平方向の凹溝１ａを上下方向に複数形成して細い部位を複数設け、棚板２の端部に、凹溝１ａに嵌入して前記細い部位に組付く嵌入凹部２ａを形成する。また、凹溝１ａを、支柱１の前面部と後面部、または左側面部と右側面部に形成する。さらに、凹溝１ａを、支柱１の全周にわたって形成する。【選択図】        図１
2005192617.tif 000002
【特許請求の範囲】
【請求項１】
一本の支柱と、一枚または複数枚の棚板から構成される支柱棚であって、
前記支柱に、水平方向の凹溝を上下方向に複数形成して細い部位を複数設け、
前記棚板の端部に、前記凹溝に嵌入して前記細い部位に組付く嵌入凹部を形成してなることを特徴とする支柱棚。
【請求項２】
前記嵌入凹部を、前記棚板の端部の略中央部分に形成したことを特徴とする請求項１に記載の支柱棚。
【請求項３】
前記支柱の前面部と後面部、又は右側面部と左側面部に前記凹溝を形成して、前記凹溝が形成された細い部位の断面を矩形状にしたことを特徴とする請求項１又は２に記載の支柱棚。
【請求項４】
前記凹溝を、前記支柱の全周にわたって形成してなることを特徴とする請求項１又は２に記載の支柱棚。
【請求項５】
前記支柱の、前記凹溝が形成された細い部位の断面は、正方形，円，正六角形のうちいずれか一つであることを特徴とする請求項４に記載の支柱棚。
【発明の詳細な説明】
【技術分野】
【０００１】
本発明は、一本の支柱と、一枚あるいは複数枚の棚板からなる支柱棚に関するものである。
【背景技術】
【０００２】
従来から、陳列や収納等を目的として、支柱と複数の棚板からなる棚が存在する（例えば、特許文献１，２参照）。
【特許文献１】実開昭６２−１７１９４６号公報
【特許文献２】実開昭６３−１３３１５５号公報
【０００３】
このうち、特許文献１に記載の棚は、図１３に示すように、支柱１０に切欠部１２を形成し、その切欠部１２に棚板１１を嵌込み、両者を組付けている。
また、特許文献２に記載の棚は、図１４に示すように、棚板１１に凹部１２を形成し、その凹部１２を支柱１０に嵌込み、支柱１０に貫通させた軸棒で下から支持し、両者を組付けている。
また、これらの棚は、二本の支柱１０の間に複数の棚板１１を架設して構成している。
【発明の開示】
【発明が解決しようとする課題】
【０００４】
しかしながら、上記した従来の棚は、支柱に切欠部を形成し、また、棚板に凹部を形成して両者を組付けているので、組付きが不十分であり、組付き姿勢が必ずしも安定しているとは言えない。
【０００５】
また、これら従来の棚は、二本の支柱間に複数の棚板を架設して構成しているので、棚板の両端部に支柱が存在し、従って、品物を、最上段を除いて棚板の中央部分に載置する必要がある。そのため、そうした理由で中央部分に載置された品物は、その両側に位置する二本の支柱によって隠れてしまい、横から視覚され難いといった問題がある。また、複数の棚板は、その全体が上下に重合した状態となっているので、棚板の中央部分に載置されている品物は、最上段を除いて、上から視覚され難いといった問題もある。
【０００６】
また、棚板を猫などのペットの止まり台として使用することもできるが、その場合、棚板の両端部には支柱が存在し、かつ、複数の棚板はその全体が上下に重合しているので、ペットが棚板間を移動し難いといった問題もある。
【０００７】
そこで、本発明の目的とするところは、支柱と棚板との組付き姿勢が安定し、かつ、品物を横および上から容易に視覚することができ、また、ペットの止まり台としても使用することのできる支柱棚を提供することにある。
【課題を解決するための手段】
【０００８】
上記の目的を達成するために、本発明に記載の支柱棚は、一本の支柱（１）と、一枚または複数枚の棚板（２）から構成される支柱棚であって、前記支柱（１）に、水平方向の凹溝（１ａ）を上下方向に複数形成して細い部位を複数設け、前記棚板（２）の端部に、前記凹溝（１ａ）に嵌入して前記細い部位に組付く嵌入凹部（２ａ）を形成してなることを特徴とする。
【０００９】
また、本発明は、前記嵌入凹部（２ａ）を、前記棚板（２）の端部の略中央部分に形成したことを特徴とする。
【００１０】
また、本発明は、前記支柱（１）の前面部と後面部、又は右側面部と左側面部に前記凹溝（１ａ）を形成して、凹溝（１ａ）が形成された細い部位の断面を矩形状にしたことを特徴とする。
【００１１】
さらに、本発明は、前記凹溝（１ａ）を、前記支柱（１）の全周にわたって形成してなることを特徴とする。
【００１２】
さらに、本発明は、前記支柱（１）の、前記凹溝（１ａ）が形成された細い部位の断面は、正方形，円，正六角形のうちいずれか一つであることを特徴とする。
【００１３】
なお、カッコ内の記号は、図面および後述する発明を実施するための最良の形態に記載された対応要素または対応事項を示す。
【発明の効果】
【００１４】
本発明の支柱棚によれば、支柱に、水平方向の凹溝を上下方向に複数形成して細い部位を複数設け、棚板の端部に、前記凹溝に嵌入して前記細い部位に組付く嵌入凹部を形成したので、従来技術と比較して、支柱と棚板をより広い面積で係合させることができる。
従って、両者の組付き姿勢を安定させることができる。
【００１５】
また、本発明によれば、棚板の端部の略中央部分に、支柱の凹溝が形成された細い部位に組付く嵌入凹部を形成したので、棚板の両端部には支柱が存在しない。
従って、品物を棚板の中央部分のみでなく両端部にも載置することができ、その品物は支柱の存在しない両端部からも容易に視覚される。
【００１６】
また、本発明によれば、凹溝を、支柱の前面部と後面部、又は右側面部と左側面部に形成しているので、支柱と棚板をさらに広い面積で係合させることができる。
従って、両者の組付き姿勢をさらに安定させることができる。
【００１７】
また、例えば、支柱の前面部と後面部に凹溝を形成してなる細い部位に右側面部から、棚板を嵌入させ、そしてその細い部位よりも上側又は下側に位置する同じく細い部位に左側面部から棚板を嵌入させることによって、棚板の向きを右側面部方向と左側面方向の両方に向けることができる。
従って、各棚板に載置した品物を上からでも容易に視覚することができる。
【００１８】
さらに、本発明によれば、凹溝を、支柱の全周にわたって形成しているので、棚板を複数の方向から支柱に組付けることができる。
従って、各棚板の組付け方向を変えることで、全ての棚板の品物を上から容易に視覚することができる。
また、例えば、複数の棚板を螺旋階段状に設けたり、あるいは螺旋階段状でなくても真下の棚板と異なる方向から組付けたり、あるいは、真下の棚板と同一方向から組付ける場合であっても真下の棚板より小さいサイズの棚板を組付けることによって、ねこなどペットは階段状に移動可能になるので、ペットの止まり台としても有効に使用することができる。
【発明を実施するための最良の形態】
【００１９】
図１乃至図３を参照して、本発明の実施形態に係る支柱棚について説明する。図１は支柱棚を示す斜視図である。また、図２はその一部分解斜視図であり、図３はその分解平面図である。
【００２０】
この支柱棚は、一本の支柱１と、複数枚の棚板２から構成されるものである。支柱１には、水平方向の凹溝１ａを上下方向に複数形成して細い部位を複数設けている。凹溝１ａは、支柱１の全周にわたって形成され、支柱１の細い部位の断面形状が正方形になるように形成している。また、各棚板２の一方端部の中央部分に、凹溝１ａに嵌入して細い部位に組付く嵌入凹部２ａを形成している。そして、支柱１に複数の棚板２を螺旋階段状に組付けている。
なお、棚板２が支柱１に強固に組み付くように、支柱１の凹溝１ａの上下方向の幅を、棚板２の厚みとほぼ同一とし、隙間なく程よい抵抗を得ることができるようにすることが好ましい。
【００２１】
この支柱棚は、凹溝１ａが形成されてなる支柱１の細い部位に、棚板２の嵌入凹部２ａを嵌入させるので、支柱１と棚板２を広い面積の状態で係合させることができ、両者を安定した姿勢で組付けることができる。また、棚板２の両端部には支柱１が存在しないので、品物Ｇを棚板２の中央部分のみでなく両端部にも載置することができ、また、その品物Ｇは両端部（横）からも容易に視覚することができる。
さらに、凹溝１ａを、支柱１の全周にわたって形成し、棚板２を支柱１に螺旋階段状に組付けているので、全ての棚板２の品物Ｇを上からも容易に視覚することができる。
また、この支柱棚は、図４に示すように、ペット（例えば、ねこ）Ｐの止まり台としても有効に使用することができる。
【００２２】
なお、本実施形態における支柱１と棚板２との組付けは、凹溝１ａが形成された支柱１の細い部位に、棚板２の嵌入凹部２ａを嵌入するのみで行っているので、両者の組付けおよび取外しを容易に行うことができる。
また、図５に示すように、一本の支柱１と複数枚の棚板２から構成される支柱棚を複数（図５では、２つの場合を一例としてあげた）組み合わせて使用することもできる。
【００２３】
また、本発明に係る支柱棚は、図６に示すように、凹溝１ａを支柱１の前面部と後面部（または左側面部と右側面部）に形成し、凹溝１ａが形成された支柱１の細い部位の断面を矩形状にすることができる。また、支柱１の全周にわたって凹溝１ａを形成し、当該支柱１の細い部位の断面形状が正六角形状（図７）あるいは円形状（図８）となるように形成することもできる。また、図９や図１０に示すように、嵌入凹部２ａ側に棚板２側から突出する突起３を設け、支柱１に棚板２を組付けたときに、突起３を、支柱１の凹溝１ａが形成された細い部位に係止させて組付けの安定性を図るようにしてもよい。さらに、図１０に示すように、支柱１に棚板２を組付けたときに、支柱１の凹溝１ａが形成された細い部位に当接する棚板２の部位（図１０では円弧状の部位）に滑り止め４を設けて同じく組付けの安定性を図るようにしてもよい。この他、支柱１の断面形状、および凹溝１ａと嵌入凹部２ａの平面形状は適宜設定することができる。
【００２４】
さらに、図１１に示すように、支柱１に棚板２を組付けた後、嵌入凹部２ａを塞ぐように、脱落防止部材７を棚板２に設けるようにしてもよい。
また、図１２に示すように、嵌入凹部２ａの横幅Ｓを、支柱１の凹溝１ａが形成された部位の幅Ｔよりも広くし、入口に係止部５を設けるようにしてもよい。より具体的には、嵌入凹部２ａは、図１２（ａ）に示した棚板２の中心線ＣＴよりも左方向に若干幅広に形成されている。これによれば、図１２（ａ）に示すように、支柱１に対して棚板２をまっすぐ（図１２では上方向）に差し込み、そして横方向（図１２では左方向）にずらした後にその隙間を埋める脱落防止部材７を挿入することにより、図１２（ｂ）に示すように、組付けることができ、このとき、係止部５によって支柱１は係止されるので、組付けの安定性が図られる。
【００２５】
また、本実施形態に記載した棚板２の表面にカーペットを貼着したり、あるいは、表面に滑り止め加工を施すことも可能である。
【図面の簡単な説明】
【００２６】
【図１】本発明の実施形態に係る支柱棚を示す斜視図である。
【図２】図１に示す支柱棚の分解斜視図である。
【図３】図１に示す支柱棚の一部分解平面図である。
【図４】図１に示す支柱棚をペットの止まり台として使用した例を示す斜視図である。
【図５】図１に示す支柱棚を組合せてペットの止まり台として使用した例を示す斜視図である。
【図６】本発明の他の実施形態を示す分解平面図である。
【図７】本発明の他の実施形態を示す分解平面図である。
【図８】本発明の他の実施形態を示す分解平面図である。
【図９】本発明の他の実施形態を示す分解平面図である。
【図１０】本発明の他の実施形態を示す分解平面図である。
【図１１】本発明の他の実施形態を示す要部平面図である。
【図１２】本発明の他の実施形態を示す要部平面図である。
【図１３】従来例を示す正面図である。
【図１４】他の従来例を示す斜視図である。
【符号の説明】
【００２７】
１      支柱
１ａ    凹溝
２      棚板
２ａ    嵌入凹部
３      突起
４      滑り止め
５      係止部
７      脱落防止部材
１０      支柱
１１      棚板
１２      切欠部
Ｇ      品物
Ｐ      ペット（ねこ）
Ｓ      幅
Ｔ      幅
ＣＴ      中心線
【図１】
2005192617.tif 000003
【図２】
2005192617.tif 000004
【図３】
2005192617.tif 000005
【図４】
2005192617.tif 000006
【図５】
2005192617.tif 000007
【図６】
2005192617.tif 000008
【図７】
2005192617.tif 000009
【図８】
2005192617.tif 000010
【図９】
2005192617.tif 000011
【図１０】
2005192617.tif 000012
【図１１】
2005192617.tif 000013
【図１２】
2005192617.tif 000014
【図１３】
2005192617.tif 000015
【図１４】
2005192617.tif 000016